(57)【要約】【課題】簡略な構成により、シートの有無の判定精度を向上できる画像形成装置を提供する。【解決手段】画像形成装置１は、メディアセンサー１０と、タイミングセンサー２０と、調整部３１とを備える。メディアセンサー１０は、シートＴの性質を検出する。タイミングセンサー２０は、シートＴの有無を検出する。調整部３１は、シートＴの性質に基づいてシートＴの検出基準を調整する。メディアセンサー１０は、第１発光部１１と、第１受光部１２とを含む。第１発光部１１は、シートＴに向けて光を発光する。第１受光部１２は、シートＴからの反射光を受光する。タイミングセンサー２０は、第２発光部２１と、第２受光部２２とを含む。第２発光部２１は、シートＴに向けて光を発光する。第２受光部２２は、シートＴからの反射光を受光する。【選択図】図１
2016003132.tif 000002
【特許請求の範囲】
【請求項１】
シートの性質を検出する第１検出部と、
前記シートの有無を検出する第２検出部と、
前記シートの性質に基づいて前記シートの検出基準を調整する調整部と、
前記シートに画像を形成する画像形成部と
を備える、画像形成装置。
【請求項２】
前記第１検出部は、
前記シートに向けて光を発光する第１発光部と、
前記シートからの反射光を受光する第１受光部と
を含み、
前記第２検出部は、
前記シートに向けて光を発光する第２発光部と、
前記シートからの反射光を受光する第２受光部と
を含む、請求項１に記載の画像形成装置。
【請求項３】
前記調整部は、前記検出基準としての前記第２発光部の発光量を調整する、請求項２に記載の画像形成装置。
【請求項４】
前記調整部は、前記第１受光部の受光量が大きい程、前記第２発光部の発光量を小さくする、請求項３に記載の画像形成装置。
【請求項５】
前記第２受光部の受光量及び前記検出基準としての閾値に基づいて前記シートの有無を判定する判定部をさらに備え、
前記調整部は、前記閾値を調整する、請求項２に記載の画像形成装置。
【請求項６】
前記判定部は、前記第２受光部の受光量が前記閾値を超えた場合に前記シートが有ると判定し、
前記調整部は、前記第１受光部の受光量が大きい程、前記閾値を大きくする、請求項５に記載の画像形成装置。
【請求項７】
前記シートを収納する収納部をさらに備え、
前記第１検出部は、前記収納部に収納された前記シートの性質を検出する、請求項１から請求項６のいずれか１項に記載の画像形成装置。
【請求項８】
前記メディアセンサーは、前記収納部に設けられる、請求項７に記載の画像形成装置。
【請求項９】
シートの性質を検出する手順と、
前記シートの性質に基づいて前記シートの検出基準を調整する手順と、
前記シートの有無を検出する手順と
を含む、シート検出方法。
【発明の詳細な説明】
【技術分野】
【０００１】
本発明は、画像形成装置及びシート検出方法に関する。
【背景技術】
【０００２】
特許文献１に記載の画像形成装置は、用紙の端部（シートの端部）を検出する光学式のメディアセンサーを備える。メディアセンサーは、発光素子及び受光素子を含む。画像形成装置は、用紙に画像を形成する前にメディアセンサーを移動させ、用紙上の複数の検出箇所で発光素子に通電し、用紙が有ると判断される電流値を検出する。そこで、検出された複数の電流値のうち最小の電流値が、用紙の端部を検出するための電流値に設定される。そして、メディアセンサーは、最小の電流値を発光素子に通電し、用紙の端部を検出する。このように、用紙上の複数の検出箇所で電流値を検出するため、用紙上の部分的な条件の違いに関係なく、用紙の端部を正確に検出できる。
【先行技術文献】
【特許文献】
【０００３】
【特許文献１】特開２００４−１８２３６１号公報
【発明の概要】
【発明が解決しようとする課題】
【０００４】
しかしながら、特許文献１に記載の画像形成装置では、メディアセンサーを移動させるための稼働部が必要になり、装置の構成が複雑になる。
【０００５】
本発明は、上記課題に鑑みてなされたものであり、簡略な構成により、シートの有無の判定精度を向上できる画像形成装置及びシート検出方法を提供することを目的としている。
【課題を解決するための手段】
【０００６】
本発明の第１の観点によれば、画像形成装置は、第１検出部と、第２検出部と、調整部とを備える。第１検出部は、シートの性質を検出する。第２検出部は、前記シートの有無を検出する。調整部は、前記シートの性質に基づいて前記シートの検出基準を調整する。
【０００７】
本発明の第２の観点によれば、シート検出方法は、シートの性質を検出する手順と、前記シートの性質に基づいて前記シートの検出基準を調整する手順と、前記シートの有無を検出する手順とを含む。
【発明の効果】
【０００８】
本発明によれば、画像形成装置において、シートの有無の判定精度が向上する。
【図面の簡単な説明】
【０００９】
【図１】本発明の実施形態１に係る画像形成装置を説明するための断面図である。
【図２】本発明の実施形態１に係る画像形成装置の構成を示すブロック図である。
【図３】本発明の実施形態１に係る画像形成装置のメディアセンサー及びタイミングセンサーを示す模式図である。
【図４】本発明の実施形態１に係る画像形成装置が実行するシート検出方法を示すフローチャートである。
【図５】本発明の実施形態２に係る画像形成装置が実行するシート検出方法を示すフローチャートである。
【図６】本発明の実施形態３に係る画像形成装置が実行するシート検出方法を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態１）
図１及び図２を参照して本発明の実施形態１に係る画像形成装置１について説明する。図１は、画像形成装置１を示す。図２は、画像形成装置１を示すブロック図である。画像形成装置１は、例えば、複写機、プリンター、ファクシミリ、又は複合機である。複合機は、例えば、複写機、プリンター、及びファクシミリのうち少なくとも２つの機器を備える。
【００１２】
画像形成装置１は、第１検出部としてのメディアセンサー１０と、第２検出部としてのタイミングセンサー２０と、制御部３０と、原稿搬送部１００と、画像読取部１１０と、収納部１２０と、搬送部１３０と、画像形成部１４０と、定着部１５０と、排出部１６０と、記憶部１７０とを備える。シートＴは、シート搬送方向に沿って画像形成装置１の内部を搬送される。
【００１３】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００１４】
メディアセンサー１０は、シートＴの性質を検出する。シートＴの性質は、種類、色味、厚み、又は輝度等である。例えば、メディアセンサー１０はシートＴの種類を検出する。メディアセンサー１０は、検出信号を制御部３０に送信する。シートＴの種類とは、コピー紙、再生紙、又は、光沢紙等である。例えばメディアセンサー１０は、カセット１２１又は手差しトレイ１２３に設けられる。メディアセンサー１０は、収納部１２０に収納されたシートＴの性質を検出する。
【００１５】
タイミングセンサー２０は、シートＴの有無を検出する。タイミングセンサー２０は、メディアセンサー１０よりシート搬送方向の下流に配置される。タイミングセンサー２０は、検出信号を制御部３０に送信する。
【００１６】
制御部３０は、画像形成装置１の各要素を制御する。具体的には、制御部３０が、記憶部１７０に格納されたコンピュータープログラムを実行することにより、メディアセンサー１０、タイミングセンサー２０、原稿搬送部１００、画像読取部１１０、収納部１２０、搬送部１３０、画像形成部１４０、及び定着部１５０を制御する。制御部３０は、例えば、ＣＰＵ（Ｃｅｎｔｒａｌ  Ｐｒｏｃｅｓｓｉｎｇ  Ｕｎｉｔ）である。
【００１７】
制御部３０は、図２に示すように、調整部３１と、判定部３２とを含む。調整部３１は、メディアセンサー１０の検出したシートＴの性質に基づいて、シートＴの検出基準を調整する。例えば、調整部３１は、シートＴの種類に基づいてシートＴの検出基準を調整する。判定部３２は、タイミングセンサー２０の検出信号に基づいて、シートＴの有無を判定する。例えば、判定部３２は、タイミングセンサー２０の検出信号及び調整された検出基準としての閾値に基づいてシートＴの有無を判定する。また、例えば、判定部３２は、検出基準としての第２発光部２１の発光量が調整された後のタイミングセンサー２０の検出信号及び閾値に基づいてシートＴの有無を判定する。
【００１８】
搬送部１３０は、画像形成部１４０にシートＴを搬送する。画像形成部１４０は、図１に示すように、感光体ドラム１４１、帯電部１４２、露光部１４３、現像部１４４、転写部１４５、クリーニング部１４６、及び除電部１４７を含む。画像形成部１４０は、次のようしてシートＴに画像を形成（印刷）する。
【００１９】
帯電部１４２は感光体ドラム１４１の表面を帯電する。露光部１４３は、画像読取部１１０によって生成された画像データ又は記憶部１７０に記憶された画像データに基づく光を感光体ドラム１４１の表面に照射する。その結果、感光体ドラム１４１の表面には画像データに対応した静電潜像が形成される。
【００２０】
現像部１４４は、感光体ドラム１４１の表面に形成された静電潜像を現像し、感光体ドラム１４１の表面にトナー像を形成する。シートＴが感光体ドラム１４１と転写部１４５との間に供給されると、転写部１４５はシートＴにトナー像を転写する。クリーニング部１４６は、感光体ドラム１４１の表面に残留しているトナーを除去する。除電部１４７は、感光体ドラム１４１の表面の残留電荷を除去する。
【００２１】
本実施形態では、タイミングセンサー２０は、搬送部１３０から画像形成部１４０に搬送されるシートＴの有無をシートＴの性質に基づいて検出している。そして、シートＴの有無に基づいて、画像形成部１４０による画像を形成するタイミングが調整される。シートＴの性質に応じて適切にシートＴの有無が検出されるため、シートＴ上に形成される画像の位置ずれが抑制される。
【００２２】
トナー像が転写されたシートＴは定着部１５０に向けて搬送される。定着部１５０は、シートＴを加熱及び加圧して、シートＴにトナー像を定着させる。画像が定着されたシートＴは排出部１６０に向けて搬送される。排出部１６０はシートＴを排出する。
【００２３】
記憶部１７０は、主記憶装置（例えば、半導体メモリー）及び補助記憶装置（例えば、ハードディスクドライブ）を含む。記憶部１７０には、シートＴの性質ごとにシートＴの検出基準の情報があらかじめ格納される。なお、検出基準の情報は、画像形成装置１に外部接続される装置に格納されてもよい。検出基準の情報については後述する。
【００２４】
次に、図３を参照して、メディアセンサー１０及びタイミングセンサー２０について説明する。図３は、メディアセンサー１０及びタイミングセンサー２０を示す。メディアセンサー１０及びタイミングセンサー２０は、光学式の反射型センサーである。タイミングセンサー２０はシート搬送経路Ｐに沿って配置され、メディアセンサー１０はタイミングセンサー２０よりもシート搬送方向Ｄの上流に配置される。
【００２５】
メディアセンサー１０は、第１発光部１１及び第１受光部１２を含む。第１発光部１１は、シートＴに向けて光を発光する。第１発光部１１は、例えばＬＥＤ（Ｌｉｇｈｔ  Ｅｍｉｔｔｉｎｇ  Ｄｉｏｄｅ）である。第１受光部１２は、シートＴからの反射光を受光する。第１受光部１２は、例えばフォトトランジスタである。
【００２６】
第１発光部１１は、シートＴに向けて光を発光する。第１発光部１１の発光した光はシートＴによって反射され、第１受光部１２が反射光を受光する。調整部３１は、第１受光部１２の受光した反射光に基づいて、シートＴの検出基準を調整する。検出基準の調整については後述する。
【００２７】
タイミングセンサー２０は、第２発光部２１及び第２受光部２２を含む。第２発光部２１は、シートＴに向けて光を発光する。第２発光部２１は、例えばＬＥＤである。第２受光部２２は、シートＴからの反射光を受光する。第２受光部２２は、例えばフォトトランジスタである。
【００２８】
第２発光部２１は、シートＴに向けて光を発光する。第２発光部２１が発光した光は、反射され、第２受光部２２が受光する。判定部３２は、第２受光部２２の受光量が閾値を超えたか否かを判定し、シートＴの有無を判定する。具体的には、判定部３２は、第２受光部２２の受光量が閾値を超えた場合にシートＴが有ると判定する。一方、判定部３２は、第２受光部２２の受光量が閾値以下である場合にシートＴが無いと判定する。
【００２９】
次に、図１、図３、及び図４を参照して画像形成装置１が実行するシート検出方法について説明する。図４は、シートＴを検出する方法を示すフローチャートである。ステップＳ１００において、メディアセンサー１０は、シートＴの性質を検出する。ステップＳ１１０において、調整部３１は、シートＴの性質に基づいてシートＴの検出基準を調整する。ステップＳ１２０において、タイミングセンサー２０は、シートＴの有無を検出する。
【００３０】
以上、図１〜図４を参照して説明したように、実施形態１によれば、メディアセンサー１０がシートＴの性質を検出し、調整部３１がシートＴの性質に基づいて判定部３２によるシートＴの検出基準（例えば、閾値、又は第２発光部２０の発光量）を調整する。従って、シートＴの検出基準が適正化される。その結果、シートＴの有無の判定精度が向上する。
【００３１】
また、実施形態１によれば、メディアセンサー１０は移動されずに収納部１２０に収納されたシートＴの性質を静止した状態で検出する。従って、メディアセンサーを移動させてシートＴの検出基準を調整する場合と比較して、シートＴの検出基準を調整する時間を短縮できる。
【００３２】
また、実施形態１によれば、メディアセンサー１０はシート搬送経路Ｐに沿って、タイミングセンサー２０より上流に配置される。従って、複数のタイミングセンサー２０は、シートＴの有無の検出基準が調整部３１によって調整された状態で、シートＴの有無を検出する。その結果、シートＴの有無の判定精度がさらに向上する。
【００３３】
また、実施形態１によれば、記憶部１７０にはあらかじめ、シートＴの性質ごとにシートＴの検出基準の情報が格納されているため、第２発光部２１の発光量、又はシートＴの有無を判定する閾値を算出する必要がない。その結果、シートＴの検出基準を調整する時間を短縮させつつ判定精度を向上できる。
【００３４】
さらに、実施形態１によれば、メディアセンサー１０は収納部１２０に収納されたシートＴの性質を検出する。従って、シートＴが搬送される前にあらかじめシートＴの性質を検出できる。その結果、シートＴが搬送されてから排出部１６０に排出されるまでの搬送時間を増加させない。
【００３５】
（実施形態２）
次に、図１及び図３を参照して本発明の実施形態２に係る画像形成装置１について説明する。実施形態２に係る画像形成装置１の構成は、検出基準としての第２発光部２１の発光量を調整する点を除いて実施形態１で説明した画像形成装置１の構成と同じであるため、重複する部分については説明を省略する。
【００３６】
調整部３１は、シートＴの性質に応じて、シートＴの検出基準としての第２発光部２１の発光量を調整する。具体的には、調整部３１は、第１受光部１２の受光量が大きい程、第２発光部２１の発光量を小さくする。つまり、第１受光部１２が受光する光量が所定量より大きければ、通常、シートＴは、受光した光を標準値より大きく反射させる。そこで、調整部３１は、第１受光部１２の受光量が大きい程、第２発光部２１の発光量を小さくする。一方、第１受光部１２が受光する受光量が所定量より小さければ、通常、シートＴは、受光した光を標準値より小さく反射させる。そこで、調整部３１は、第１受光部１２の受光量が小さい程、第２発光部２１の発光量を大きくする。つまり、第１受光部１２の受光量に基づいて、調整部３１は、第２発光部２１の発光量を適正値に近づける。その結果、シートＴの検出基準が適正化される。
【００３７】
例えば、記憶部１７０は、シートＴの種類を示す情報に関連付けて、シートＴの検出基準の情報としての第２発光部２１の発光量の情報を記憶する。例えば、記憶部１７０は、シートＴが再生紙であることを示す情報と、第２発光部２１の発光量が１３０％であることを示す情報とを関連付けて記憶する。記憶部１７０は、シートＴがコピー紙であることを示す情報と、第２発光部２１の発光量が１００％であることを示す情報とを関連付けて記憶する。記憶部１７０は、シートＴが光沢紙であることを示す情報と、第２発光部２１の発光量が７０％であることを示す情報とを関連付けて記憶する。シートＴに向けて発光する光量が同じ場合、再生紙、コピー紙、光沢紙の順に、反射光の光量が大きいからである。
【００３８】
次に図１、図３、及び図５を参照して、画像形成装置１が実行するシート検出方法について説明する。図５は、シート検出方法を示すフローチャートである。
【００３９】
ステップＳ２００において、メディアセンサー１０は、シートＴの性質を検出する。例えば、メディアセンサー１０はシートＴの種類を検出する。ステップＳ２１０において、調整部３１は、シートＴの性質に基づいて、第２発光部２１の発光量を調整する。例えば、調整部３１は、シートＴの種類に基づいて、当該発光量を調整する。メディアセンサー１０がシートＴを再生紙であると検出すれば、調整部３１は第２発光部２１の発光量を基準値の１３０％に調整する。メディアセンサー１０がシートＴをコピー紙であると検出すれば、調整部３１は第２発光部２１の発光量を基準値の１００％に調整する。メディアセンサー１０がシートＴを光沢紙であると検出すれば、調整部３１は第２発光部２１の発光量を基準値の７０％に調整する。
【００４０】
具体例を説明する。調整部３１は、第２発光部２１に通電する電流値を調整することで第２発光部２１の発光量を調整する。従って、実施形態２では電流値を検出基準として捉えることもできる。通電される電流値が大きくなるほど、第２発光部２１の発光量は大きくなる。一方、通電される電流値が小さくなるほど、第２発光部２１の発光量は小さくなる。メディアセンサー１０がシートＴを再生紙であると検出すれば、調整部３１は、第２発光部２１に通電する電流値を電流値の基準値の１３０％に調整することで、第２発光部２１の発光量を発光量の基準値の１３０％に調整する。メディアセンサー１０がシートＴをコピー紙であると検出すれば、調整部３１は、第２発光部２１に通電する電流値を基準値の１００％に調整することで、第２発光部２１の発光量を基準値の１００％に調整する。メディアセンサー１０がシートＴを光沢紙であると検出すれば、調整部３１は、第２発光部２１に通電する電流値を基準値の７０％に調整することで、第２発光部２１の発光量を基準値の７０％に調整する。
【００４１】
ステップＳ２２０において、第２発光部２１は、調整部３１によって調整された発光量の光をシートＴに向けて発光する。
【００４２】
ステップＳ２３０において、判定部３２は、第２受光部２２がシートＴからの反射光を受光したか否かを判定する。ステップＳ２３０において肯定的判定（ＹＥＳ）がされた場合、処理はステップＳ２４０に進む。ステップＳ２３０において否定的判定（ＮＯ）がされた場合、処理はステップＳ２２０に進む。
【００４３】
ステップＳ２４０において、判定部３２は、第２受光部２２の受光量が閾値を超えたか否かを判定する。ステップＳ２４０において否定的判定（ＮＯ）がされた場合、判定部３２はシートＴが無いと判定し、処理はステップＳ２２０に進む。ステップＳ２４０において、肯定的判定（ＹＥＳ）がされた場合、判定部３２はシートＴが有ると判定し、処理は終了する。
【００４４】
以上、図１、図３、及び図５を参照して説明したように、実施形態２によれば、シートＴの性質に基づいて第２発光部２１の発光量が調整される。従って、性質の異なるシートであっても、検出基準が適正化される。その結果、シートＴの有無の判定精度が向上する。その他、実施形態２は実施形態１と同様の効果を奏する。
【００４５】
（実施形態３）
次に、図１及び図３を参照して本発明の実施形態３に係る画像形成装置１について説明する。実施形態３に係る画像形成装置１の構成は、検出基準としてのシートＴの有無を判定するための閾値が調整される点を除いて実施形態１で説明した画像形成装置１の構成と同じであるため、重複する部分については説明を省略する。
【００４６】
調整部３１は、シートＴの性質に応じて、シートＴの検出基準としての判定部３２がシートＴの有無を判定する閾値を調整する。具体的には、調整部３１は、第１受光部１２の受光量が大きい程、閾値を大きくする。つまり、第１受光部１２が、受光する光量が所定量より大きければ、通常、シートＴは受光した光を標準値より大きく光を反射させる。そこで、調整部３１は、第１受光部１２の受光量が大きい程、閾値を大きくする。一方、第１受光部１２が受光する受光量が所定量より小さければ、通常、シートＴは受光した光を標準値より小さく反射させる。そこで、調整部３１は、第１受光部１２の受光量が小さい程、閾値を小さくする。つまり、第１受光部１２の受光量に基づいて、調整部３１は、閾値を適正値に近づける。その結果、シートＴの検出基準が適正化される。
【００４７】
例えば、記憶部１７０は、シートＴの種類を示す情報に関連づけて、シートＴの検出基準の情報としてのシートＴの有無を判定する閾値を記憶する。記憶部１７０は、シートＴが光沢紙であることを示す情報と、閾値が１３０％であることを示す情報とを関連付けて記憶する。記憶部１７０は、シートＴがコピー紙であることを示す情報と、閾値が１００％であることを示す情報とを関連付けて記憶する。記憶部１７０は、シートＴが再生紙であることを示す情報と、閾値が７０％であることを示す情報とを関連付けて記憶する。シートＴに向けて発光する光の光量が同じ場合、光沢紙、コピー紙、再生紙の順に、反射光の光量が小さいからである。
【００４８】
次に図１、図３、及び図６を参照して画像形成装置１が実行するシート検出方法について説明する。図６は、シート検出方法を示すフローチャートである。
【００４９】
ステップＳ３００において、メディアセンサー１０は、シートＴの性質を検出する。例えば、メディアセンサー１０はシートＴの種類を検出する。ステップＳ３１０において、調整部３１は、判定部３２がシートＴの性質に基づいてシートＴの有無を判定するための閾値を調整する。例えば、調整部３１は、シートＴの種類に基づいて、当該閾値を調整する。メディアセンサー１０がシートＴを光沢紙であると検出すれば、調整部３１は閾値を基準値の１３０％に調整する。メディアセンサー１０がシートＴをコピー紙であると検出すれば、調整部３１は閾値を基準値の１００％に調整する。メディアセンサー１０がシートＴを再生紙であると検出すれば、調整部３１は閾値を基準値の７０％に調整する。
【００５０】
ステップＳ３２０において、第２発光部２１は、光をシートＴに向けて発光する。ステップＳ３３０において、判定部３２は、第２受光部２２がシートＴからの反射光を受光したか否かを判定する。ステップＳ３３０において肯定的判定（ＹＥＳ）がされた場合、処理はステップＳ３４０に進む。ステップＳ３３０において否定的判定（ＮＯ）がされた場合、処理はステップＳ３２０に進む。
【００５１】
ステップＳ３４０において、判定部３２は、第２受光部２２の受光量が閾値を超えたか否かを判定する。肯定的判定（ＹＥＳ）がされた場合、判定部３２はシートＴが有ると判定し、処理は終了する。具体的には、シートＴが光沢紙であると検出されると、判定部３２は、第２受光部２２の受光量が基準値の１３０％に調整された閾値を超えた場合にシートＴがあると判定する。同様にして、シートＴが普通紙であると検出されると、判定部３２は、第２受光部２２の受光量が基準値の１００％に調整された閾値を超えた場合にシートＴがあると判定する。シートＴが再生紙であると検出されると、判定部３２は、第２受光部２２の受光量が基準値の７０％に調整された閾値を超えた場合にシートＴがあると判定する。
【００５２】
以上、図１、図３、及び図６を参照して説明したように、実施形態３によれば、シートＴの性質に基づいて、判定部３２のシートＴの有無を判定する閾値が調整される。従って、性質の異なるシートＴを搬送する場合であっても、シートＴの有無の検出基準を統一できる。その結果、シートＴの有無の判定精度が向上する。その他、実施形態３は、実施形態１又は実施形態２と同様の効果を奏する。
【００５３】
以上、図面（図１〜図６）を参照しながら本発明の実施形態について説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５４】
（１）図５及び図６を参照して説明したように、調整部３１は、シートＴの性質に基づいて、第２発光部２１の発光量又は判定部３２がシートＴの有無を判定する閾値を調整した。ただし、調整部３１は、シートＴの性質に基づいて当該発光量及び当該閾値を調整してもよい。
【００５５】
（２）図１を参照して説明したように、メディアセンサー１０は、収納部１２０に収納されたシートＴの性質を検出するため、収納部１２０に近接して配置された。ただし、メディアセンサー１０は、シート搬送方向Ｄに沿ってタイミングセンサー２０の上流に配置されればよく、収納部１２０に近接して配置されなくてもよい。
【００５６】
（３）図１を参照して説明したように、タイミングセンサー２０は、シート搬送経路Ｐに沿って２個配置された。ただし、シート搬送経路Ｐに沿って単数のタイミングセンサー２０が配置されてもよいし、シート搬送経路Ｐに沿って２以外の複数のタイミングセンサー２０が配置されてもよい。
【００５７】
（４）調整部３１によって調整されたシートＴの検出基準は、画像形成装置１内に配置される単数又は複数の全てのタイミングセンサー２０に適用しなくてもよい。１つのタイミングセンサー２０に検出基準を適用してもよいし、２以上の複数のタイミングセンサー２０に検出基準を適用してもよい。なお、ユーザーは検出基準を適用させるタイミングセンサー２０を選択できる。
【００５８】
（５）記憶部１７０は、コピー紙、光沢紙、及び再生紙の３種のシートに関連付けて検出基準の情報を記憶したが、記憶部１７０は３種以外の複数の種類のシートに関連付けて検出基準の情報を記憶することもできる。
【００５９】
（６）調整部３１は、シートＴの性質としてシートＴの種類に基づいて、シートＴの有無を検出する検出基準を調整した。ただし、調整部３１は、シートＴの性質として色味、厚み、又は輝度に基づいて、シートＴの有無を検出する検出基準を調整してもよい。
【００６０】
調整部３１がシートＴの色味に基づいて、シートＴの検出基準を調整する場合について説明する。シートＴの色味が白に近い程、シートＴは受光した光を強く反射させる。従って、調整部３１は、シートＴの色味が白に近い程、第２発光部２１の発光量を小さくする。また、調整部３１は、シートＴの色味が白に近い程、シートＴの有無を判定する閾値を大きくする。調整部３１は、シートＴの色味に基づいて第２発光部２１の発光量及び閾値のうち少なくとも１つを調整する。
【００６１】
調整部３１がシートＴの厚みに基づいて、シートＴの検出基準を調整する場合について説明する。シートＴの厚みが薄い程、光を透過させ易い。従って、シートＴの厚みが薄い程、シートＴは受光した光を弱く反射させる。従って、調整部３１は、シートＴの厚みが薄い程、第２発光部２１の発光量を大きくする。また、調整部３１は、シートＴの厚みが薄い程、シートＴの有無を判定する閾値を小さくする。調整部３１は、シートＴの厚みに基づいて第２発光部２１の発光量及び閾値のうち少なくとも１つを調整する。
【００６２】
調整部３１がシートＴの輝度に基づいて、シートＴの検出基準を調整する場合について説明する。シートＴの輝度が高い程、受光した光を強く反射させる。従って、調整部３１は、シートＴの輝度が高い程、第２発光部２１の発光量を小さくする。また、調整部３１は、シートＴの輝度が高い程、シートＴの有無を判定する閾値を大きくする。調整部３１は、シートＴの輝度に基づいて第２発光部２１の発光量及び閾値のうち少なくとも１つを調整する。
【産業上の利用可能性】
【００６３】
本発明は、画像形成装置の分野に利用可能である。
【符号の説明】
【００６４】
１      画像形成装置
１０    メディアセンサー
１１    第１発光部
１２    第１受光部
２０    タイミングセンサー
２１    第２発光部
２２    第２受光部
３０    制御部
３１    調整部
３２    判定部
１２０  収納部
Ｔ      シート
【図１】
2016003132.tif 000003
【図２】
2016003132.tif 000004
【図３】
2016003132.tif 000005
【図４】
2016003132.tif 000006
【図５】
2016003132.tif 000007
【図６】
2016003132.tif 000008